(57)【要約】【課題】  簡単な手法で経済的にハウリング抑制効果を叶えられるようにする。【解決手段】  マイクと、そのマイクへの入力音を増幅する拡声装置とを備えた空間を対象として、入力音の拡声に伴うハウリングを抑制するハウリング抑制機構Ｙを備えた音響調整設備において、ハウリング抑制機構Ｙを構成するに、空間を複数の仮想空間として分割し、それら各分割仮想空間の位置毎に測定したハウリング周波数ｆを各別に記録自在なハウリングデータベースＢ３が設けられ、空間内においてマイクを使用する位置を分割仮想空間に対応させて入力する位置入力手段２２が設けられ、位置入力手段２２で入力された位置情報から、対応する分割仮想空間のハウリング周波数ｆをハウリングデータベースＢ３から読み出して、拡声装置に対して該当する周波数の音成分にフィルタが掛かるように制御するフィルタ制御手段２３が設けられている。【選択図】        図３
2006340276.tif 000002
【特許請求の範囲】
【請求項１】
マイクと、そのマイクへの入力音を増幅する拡声装置とを備えた空間を対象として、前記入力音の拡声に伴うハウリングを抑制するハウリング抑制機構を備えた音響調整設備であって、
ハウリング抑制機構を構成するに、前記空間を複数の仮想空間として分割し、それら各分割仮想空間の位置毎に測定したハウリング周波数を各別に記録自在なハウリングデータベースが設けられ、前記空間内において前記マイクを使用する位置を前記分割仮想空間に対応させて入力する位置入力手段が設けられ、前記位置入力手段で入力された位置情報から、対応する前記分割仮想空間のハウリング周波数を前記ハウリングデータベースから読み出して、前記拡声装置に対して該当する周波数の音成分にフィルタが掛かるように制御するフィルタ制御手段が設けられている音響調整設備。
【請求項２】
前記位置入力手段は、前記空間内における前記マイクの位置を検出自在な位置検出手段を備えて構成されている請求項１に記載の音響調整設備。
【請求項３】
前記位置検出手段、及び、前記フィルタ制御手段を所定時間毎に作動させる繰り返し制御手段が設けられている請求項２に記載の音響調整設備。
【請求項４】
マイクと、そのマイクへの入力音を増幅する拡声装置とを備えた空間を対象として、前記入力音の拡声に伴うハウリングを抑制する音響調整方法であって、
前記空間を複数の仮想空間として分割し、それら各分割仮想空間毎にハウリング周波数を測定記録しておき、前記空間内において前記マイクを使用する際、その使用位置に該当する前記分割仮想空間のハウリング周波数を読み出して、前記拡声装置に対して該当する周波数の音成分にフィルタが掛かるように制御する音響調整方法。
【発明の詳細な説明】
【技術分野】
【０００１】
本発明は、マイクと、そのマイクへの入力音を増幅する拡声装置とを備えた空間を対象として、前記入力音の拡声に伴うハウリングを抑制する音響調整技術に関する。
【背景技術】
【０００２】
ハウリングは、マイクとスピーカ間の音響結合によって発生するのが主原因であり、従来、ハウリングが発生した時の一つの対応としては、ミキサーにおいて該当するマイクボリュームを下げてスピーカからの出力を低下させる方法があった。この方法は、直感的な操作によって発生したハウリングを抑制することが出来るから、熟練者でなくても簡単に操作できる長所があるものの、拡声音をその全周波数にわたって出力低下させるから、スピーカから出力される拡声音量が急激に小さくなり、非常に聞きづらいと言う問題があり、このような問題を解決するものとして、ハウリングを自動的に速やかに検出して、抑圧処理を施す技術が考えられた。
この種の音響調整技術としては、対象音を各周波数毎に分離してハウリングの検出を行うハウリング検出手段と、そのハウリング検出手段において検知されたハウリング周波数に対応した周波数成分の音を抑圧するように拡声装置を制御する制御機構とを備えたものがあった（例えば、特許文献１〜３参照）。
【０００３】
【特許文献１】特開２００３−３２７８０号公報（図１）
【特許文献２】特開平１１−１４６４８４号公報（図２）
【特許文献３】特開２００１−２８５９８６号公報（図１）
【発明の開示】
【発明が解決しようとする課題】
【０００４】
上述した従来の音響調整技術によれば、常時、ハウリングの検出を行わなければならないことに加えて、ハウリングが進行する初期の段階でハウリング周波数の音の抑圧処理を実施する必要があることから、非常に処理速度の速い制御機構が必要となる他、同様のことがハウリング検出手段に対しても要求され、装置全体として高額になり易い問題点があった。
【０００５】
従って、本発明の目的は、上記問題点を解消し、簡単な手法で経済的にハウリング抑制効果を叶えられる音響調整技術を提供するところにある。
【課題を解決するための手段】
【０００６】
本発明の第１の特徴構成は、マイクと、そのマイクへの入力音を増幅する拡声装置とを備えた空間を対象として、前記入力音の拡声に伴うハウリングを抑制するハウリング抑制機構を備えた音響調整設備において、ハウリング抑制機構を構成するに、前記空間を複数の仮想空間として分割し、それら各分割仮想空間の位置毎に測定したハウリング周波数を各別に記録自在なハウリングデータベースが設けられ、前記空間内において前記マイクを使用する位置を前記分割仮想空間に対応させて入力する位置入力手段が設けられ、前記位置入力手段で入力された位置情報から、対応する前記分割仮想空間のハウリング周波数を前記ハウリングデータベースから読み出して、前記拡声装置に対して該当する周波数の音成分にフィルタが掛かるように制御するフィルタ制御手段が設けられているところにある。
【０００７】
本発明の第１の特徴構成によれば、前記ハウリングデータベースに対して、予め、前記空間内の各分割仮想空間毎に測定したハウリング周波数を、それぞれ記録しておくことができると共に、前記位置入力手段によって、前記空間内のマイクのセッティング位置を前記分割仮想空間に対応させて入力することが可能となり、それらに入力記録された各データを基にして、前記フィルタ制御手段によって、マイクセッティング位置でのハウリング周波数を特定し、前記拡声装置に対して該当する周波数の音成分にフィルタが掛かるように制御することが可能となる。
即ち、従来のように、常時、ハウリング検出を行ったり、その結果に基づいてフィルタをかける周波数を設定したり、また拡声装置にフィルタ処理の情報を送信する等の複雑で高速を要求されるデータ処理を実施するまでもなく、極めて簡単なデータ処理機構のみで、該当するマイクのハウリング抑制対策を講じることができる。
そして、マイクセッティングの位置が変わらない状態の使用形態では、上述のフィルタ処理は、事前に実施しておくことが可能であるから、拡声が始まるときには既にハウリング抑制状態を維持しておくことができ、従来のように、ハウリングを生じている状態を検出して該当する周波数に対するフィルタ処理を行うのに比べて、より確実にハウリング抑制を図ることが可能となる。また、それらの作用効果は、簡単な機構によって叶えることができるから、経済性の向上を図ることが可能となる。
また、該当するハウリング周波数に絞ったフィルタ処理によってハウリングを抑制するから、従来のようにハウリングを防止するのにボリューム全体が下がって聞きづらくなるという問題を解消でき、適切な拡声音量を維持することが可能となる。従って、ミキシング操作をする人が熟練者でない場合でも、ハウリングを心配せずに、ボリューム操作によって希望の音量を確保して音響調整することが可能となる。即ち、ミキサー等の拡声装置の操作性を向上させることができる。
【０００８】
本発明の第２の特徴構成は、前記位置入力手段は、前記空間内における前記マイクの位置を検出自在な位置検出手段を備えて構成されているところにある。
【０００９】
本発明の第２の特徴構成によれば、本発明の第１の特徴構成による上述の作用効果を叶えることができるのに加えて、前記空間内におけるマイクの位置を、前記位置検出手段によって検出することが可能となり、より正確にマイクのセッティング位置を人力することが可能となる。即ち、例えば、マイクをステージ（前記空間の一例）の意図する場所（分割仮想空間の一つに相当）に設置する仕込み作業において、予め入力したマイクセッティング位置と異なる位置にマイクがセットされたようなセッティングミスがある場合や、データ入力の際の入力ミスがあるような場合、現実にマイクが位置している分割仮想空間とは異なる分割仮想空間でのハウリング周波数が前記フィルタ制御手段によって参照されることになるから、正確なハウリング抑制が叶えられなくなる危険性があるが、本発明の特徴構成によれば、前記位置検出手段によってマイクの位置を検出できるから、上述のようなミスがあっても該当する位置のハウリング周波数を正確に読み込んでハウリング抑制を図ることが可能となる。
【００１０】
本発明の第３の特徴構成は、前記位置検出手段、及び、前記フィルタ制御手段を所定時間毎に作動させる繰り返し制御手段が設けられているところにある。
【００１１】
本発明の第３の特徴構成によれば、本発明の第２の特徴構成による上述の作用効果を叶えることができるのに加えて、例えば、マイクをハンドマイクとして使用しながら、ステージ上の位置を変化させるような使用形態を採るような場合でも、そのマイク位置を、前記繰り返し制御手段の制御によって所定時間毎に更新することができ、マイク位置変化に対応した正確な追尾が可能となり、色々な使用形態に対応したハウリング抑制を叶えることができるようになる。
【００１２】
本発明の第４の特徴構成は、マイクと、そのマイクへの入力音を増幅する拡声装置とを備えた空間を対象として、前記入力音の拡声に伴うハウリングを抑制する音響調整方法において、前記空間を複数の仮想空間として分割し、それら各分割仮想空間毎にハウリング周波数を測定記録しておき、前記空間内において前記マイクを使用する際、その使用位置に該当する前記分割仮想空間のハウリング周波数を読み出して、前記拡声装置に対して該当する周波数の音成分にフィルタが掛かるように制御するところにある。
【００１３】
本発明の第４の特徴構成によれば、従来のように、常時、ハウリング検出を行ったり、その結果に基づいてフィルタをかける周波数を設定したり、また拡声装置にフィルタ処理の情報を送信する等の複雑で高速を要求されるデータ処理を実施するまでもなく、極めて簡単なデータ処理のみで、該当するマイクのハウリング抑制対策を講じることができる。
そして、マイクセッティングの位置が変わらない状態の使用形態では、上述の音響調整処理は、事前に実施しておくことが可能であるから、拡声が始まるときには既にハウリング抑制状態を維持しておくことができ、従来のように、ハウリングを生じている状態を検出して該当する周波数に対するフィルタ処理を行うのに比べて、より確実にハウリング抑制を図ることが可能となる。また、それらの作用効果は、簡単な機構によって叶えることができるから、経済性の向上を図ることが可能となる。
また、該当するハウリング周波数に絞ったフィルタ処理によってハウリングを抑制するから、従来のようにハウリングを防止するのにボリューム全体が下がって聞きづらくなるという問題を解消でき、適切な拡声音量を維持することが可能となる。従って、ミキシング操作をする人が熟練者でない場合でも、ハウリングを心配せずに、ボリューム操作によって希望の音量を確保して音響調整することが可能となる。即ち、ミキサー等の拡声装置の操作性を向上させることができる。
【発明を実施するための最良の形態】
【００１４】
以下に本発明の実施の形態を図面に基づいて説明する。
【００１５】
図１は、本発明の音響調整設備の一実施形態品（以後、単に調整設備と言う）Ｓを設置したホール（本発明に係わる「空間」の一例）Ｈを示す模式図である。
ホールＨは、ステージ１、客席２、ロビー３、音響調整室４等を備えて構成されている。そして、前記調整設備Ｓは、音響調整室４に設置されている。
【００１６】
前記ステージ１においては、各種催しが演じられ、それぞれの催しに伴って、マイクＫ１や、電気楽器等の入力ケーブルを接続するダイレクトボックスＫ２等が、所定の位置に随時配置される。そして、ステージ１には、前記マイクＫ１やダイレクトボックスＫ２等の音信号発生機器（以後、単に発生機器と言う）Ｋをそれぞれ接続する複数の接続用端子５が設けられており、これら接続用端子５は、ステージ１と音響調整室４とにわたって配線されたケーブル６を介して、音響調整室４のパッチベイ７と各別に接続されている。
【００１７】
また、ステージ１の脇や、客席２、ロビー３、音響調整室４には、音響調整室４で調整された音を再生するスピーカ８がそれぞれ設けられている。
【００１８】
前記音響調整室４には、図２に示すように、パッチベイ７の他、デジタルミキサーモジュール９、コンピュータ１０等が設置されている。また、図には示さないが、デジタルミキサーモジュール９と各スピーカ８との間には、パワーアンプが設置されている。これら前記デジタルミキサーモジュール９やコンピュータ１０やパワーアンプに加えて前記スピーカ８を備えて拡声装置Ｗが構成されている。
そして、前記調整設備Ｓは、前記デジタルミキサーモジュール９とコンピュータ１０とを備えて構成されており、この両者は、相互にデータを送受信自在に接続（例えば、ＵＳＢ接続）されており、コンピュータ１０側から、デジタルミキサーモジュール９の各制御を実施出来るように構成されている。
【００１９】
前記デジタルミキサーモジュール９は、前記パッチベイ７の各チャンネルに対応するように接続される複数の入力部１１と、それら各入力部１１から入力された音信号をそれぞれに対応するチャンネルで各別に調整することができる音調整部１２と、音調整部１２で調整された音をパワーアンプを介して前記スピーカ８に出力自在な出力部１３と、前記入力部１１と音調整部１２と出力部１３とを総合的に制御するデジタル制御部１４とを備えて構成してある。尚、音響調整室４で操作する発生機器Ｋとしては、例えば、ＣＤプレーヤや、ＭＤプレーヤや、カセットプレーヤ等の再生機器Ｋ３、及び、ステージ１への連絡用マイクＫ１があり、これらは、それぞれ前記入力部１１に接続することができる。
因みに、音調整部１２には、それぞれのチャンネル毎に、入力レベルを調整自在なトリム部や、入力音の音質を複数バンド毎に各別に調整自在な音質調整部１２ａや、エフェクタへのセンド量を調整自在なセンド調整部や、音量を調整自在な音量調整部や、チャンネルのオン・オフ切替自在な切替部等が備えられ、これらの操作は、前記コンピュータ１０の操作画面上から前記デジタル制御部１４を介してそれぞれ実施できるように構成されている。
前記コンピュータ１０の内、特に、前記音量調整部の音量調整をコンピュータ１０の操作画面上でのアイコン操作で実施可能に構成されたソフトウェア部分を音量調整操作手段２０と言う（図３参照）。
【００２０】
また、前記音質調整部１２ａは、当該実施形態においては、４バンドのパラメトリックイコライザーで構成してあり、各バンド毎に、図４に示すように、中心周波数（Ｆ値）、周波数帯域幅（Ｑ値）、ゲイン（Ｇ値）の各パラメータをそれぞれ設定することができる。従って、ハウリング（スピーカ８からの音がマイクＫ１で拾われることで増幅していく現象）が発生するような場合（図５（イ）参照）、その抑制対策として、図５（ロ）に示すように、パラメトリックイコライザーの前記中心周波数（Ｆ値）を、そのハウリング周波数ｆに設定すると共に、前記周波数帯域幅（Ｑ値）を狭く、且つ、ゲイン（Ｇ値）を負に設定することで、ハウリング周波数の音をフィルタリングしてハウリング抑制を図ることができ、全体的な音質変化が少ない状態でハウリング防止を図ることができる。
【００２１】
そして、前記コンピュータ１０には、上述のハウリング抑制の一環として、予め、前記ステージ１上の各位置でハウリングテストを行い、その際に測定した各ハウリング周波数ｆを前記中心周波数（Ｆ値）のパラメータとしてそれぞれ記録したハウリングデータベースＢ３が設けられている（図３参照）。このハウリングデータベースＢ３には、前記Ｆ値の他に、前記Ｑ値（狭く設定されている）やＧ値（負に設定されている）もそれぞれ対応させて記録してある。
即ち、図６に示すように、ステージ１上を、複数の仮想空間として分割し、それら各分割仮想空間Ｖの位置毎に測定したハウリング周波数ｆ（前記Ｆ値に相当）を前記Ｑ値やＧ値と共に前記ハウリングデータベースＢ３にそれぞれ記録しておき、ステージ１上にマイクＫ１を設置して使用する際には、その使用位置を前記分割仮想空間Ｖに対応させてコンピュータ１０に入力することで、その位置情報から、対応する前記分割仮想空間Ｖのハウリング周波数ｆ（前記Ｆ値に相当）とＱ値とＧ値を前記ハウリングデータベースＢ３から読み出して、前記音質調整部１２ａのパラメトリックイコライザーの各コントロールデータとして送り、該当する周波数の音成分にフィルタが掛かるように制御することができるのである。尚、仮想空間の分割設定は、例えば、分割幅等の数値を入力することで自動的に行うようにソフトウェアが前記コンピュータ１０内に備えられている。
前記マイクＫ１の使用位置をコンピュータ１０に入力する為のソフトウェアとハードウェアを含めて位置入力手段２２と言う（図３参照）。また、マイクの位置情報に対応するフィルタ処理を行う一連の制御を行うソフトウェア部分を、フィルタ制御手段２３という。そして、これら位置入力手段２２とフィルタ制御手段２３とを含めてハウリング抑制機構Ｙと言う。
【００２２】
また、前記コンピュータ１０には、前記入力部１１に接続される前記発生機器Ｋそれぞれに対する音調整部１２の調整用データ（パラメータ）Ｄ１を、前記各発生機器Ｋ毎に記録自在な機器用データベースＢ１と、前記発生機器Ｋの内の一つであるマイクＫ１を使用する対象者Ｍそれぞれに対する前記音調整部１２の調整用データ（パラメータ）Ｄ２を、前記対象者Ｍ毎に記録自在な対象者データベースＢ２とが設けられている。
【００２３】
これらのデータベースＢ１、Ｂ２には、コンピュータ１０から、前記調整用データＤ１、Ｄ２を入力することができ、例えば、ホールＨの音響特性や、前記各発生機器Ｋの特性を考慮した上で、好ましい調整用データＤ１を各発生機器Ｋ毎に決定して前記機器用データベースＢ１に発生機器Ｋと対応させて保存しておいたり、ホールＨの音響特性や、各対象者Ｍの声の特性を考慮した上で、好ましい調整用データＤ２を各対象者Ｍ毎に決定して前記対象者データベースＢ２に対象者Ｍと対応させて保存しておくことができる。当該実施形態においては、予め、専門的な音響知識のある者によって、当該ホールＨで音響上好ましいとされる調整用データＤ１、Ｄ２を決定して、前記データベースＢ１、Ｂ２を形成してある。
因みに、前記調整用データＤ１の一例を示すと、前記トリム部や音質調整部のパラメータで構成してあり、例えば、発生機器Ｋがマイクの場合、入力レベルが他の発生機器Ｋ（ＣＤ・ＭＤプレーヤ等）に比べて小さいから前記トリム部での入力レベルを大きくすると言った内容がパラメータとして設定される。
一方、前記調整用データＤ２の一例を示すと、前記音質調整部や音量調整部のパラメータで構成してあり、例えば、対象者Ｍが、声が低くて大きな男性である場合、音質調整部において低音域を少し下げると共に、前記音量調整部のレベルを少し下げると言った内容がパラメータとして設定される。
また、対象者Ｍの名前としては、当該整設備が、例えば、学校で使用されるような場合を例に挙げれば、「校長先生」や「教頭先生」や「山田○○先生」と言ったように具体的で解り易いものをデータとして打ち込んでおくことが好ましい。
【００２４】
次に、コンピュータ１０について説明する。
コンピュータ１０には、図３に示すように、データセクション１０Ａ、ソフトセクション１０Ｂ、前記デジタルミキサーモジュール９を対象としてデータの送受信を行うインターフェース１０Ｃ、データセクション１０Ａやソフトセクション１０Ｂやインターフェース１０Ｃの制御を行う制御部１０Ｄとを備えて構成してある。
そして、データセクション１０Ａには、上述の、各データベースＢ１、Ｂ２、Ｂ３が備えてある。
前記ソフトセクション１０Ｂには、各種ソフトウェアが設けられており、前記入力部１１毎に接続する前記発生機器Ｋを選択して前記音調整部１２の任意のチャンネルに割当操作自在な第一割当手段１５、及び、前記入力部１１に接続する発生機器ＫがマイクＫ１である場合に、そのマイクＫ１を使用する対象者Ｍを選択して前記音調整部１２の該当チャンネルに割当操作自在な第二割当手段１６等のソフトウェアや、前記第一割当手段１５によって各チャンネルに割り当てられた発生機器Ｋそれぞれに対応する前記調整用データＤ１を、前記機器用データベースＢ１から読み取って前記音調整部１２の該当チャンネルの音調整に反映させる第一制御手段１７、及び、第二割当手段１６によって該当チャンネルに割り当てられた対象者Ｍそれぞれに対応する前記調整用データＤ２を、対象者データベースＢ２から読み取って前記音調整部１２の該当チャンネルの音調整に反映させる第二制御手段１８、及び、前記ハウリング抑制機構Ｙ等のソフトウェアが設けられている。
更には、前記音量調整操作手段２０が設けられていると共に、発生機器Ｋの指定操作や、第二割当手段１６による前記対象者Ｍの指定操作を、操作画面上でのアイコン操作で実施できるように構成されたソフトウェアとして対象指定操作手段２１が設けられている。
【００２５】
従って、コンピュータ１０の操作画面上のアイコン操作によって、各入力部１１に接続する発生機器Ｋを指定するだけで、それらの発生機器Ｋ用の調整用データＤ１が機器用データベースＢ１からそれぞれデジタルミキサーモジュール９に読み込まれ、各チャンネルの音調整部１２が自動的に前記調整用データＤ１のパラメータにセットされるから、オペレータに専門的な音響知識が無くても、予め設定された発生機器Ｋ用のセッティングを再現することができる。
また、同様に、マイクＫ１を使用する対象者Ｍを、操作画面上のアイコン操作によって指定するだけで、それらの対象者Ｍ用の調整用データＤ２が対象者データベースＢ２からそれぞれデジタルミキサーモジュール９に読み込まれ、各チャンネルの音調整部１２が自動的に前記調整用データＤ２のパラメータにセットされるから、オペレータに専門的な音響知識が無くても、予め設定された対象者Ｍ用のセッティングを、先のセッティングに追加して再現することができる。
更には、ステージ１上へのマイクＫ１セット位置を、アイコン操作によって入力するだけで、それに伴って、前記ハウリング抑制機構Ｙによってハウリングの生じ難いイコライジング設定がなされるから、オペレータに専門的な音響知識が無くても、ハウリングの抑制が図られ、音響設備の仕込み作業の効率化と、音響設備を最良の状態で使いこなすこととが可能となる。
そして、催しが実施されている間に関しては、前記音量調整操作手段２０によって、操作画面上に表示されたボリュームアイコンを状況に応じて上下させるだけで、より肌理の細かな音響調整を実施することができる（図７参照）。また、その際、ボリュームアイコンには、前記第二割当手段１６で指定した対象者名（例えば、「校長先生」や「教頭先生」や「山田○○先生」等）が合わせて表示されるように前記音量調整操作手段２０を構成してあれば、オペレータの誤操作を防止し易く、より使い易い音響調整設備とすることが可能となる。
【００２６】
前記音量調整操作手段２０や対象指定操作手段２１による操作画面の一例を示すと、図７に示すとおりである。
この例によると、ステージ１の平面模式図ｐ１や、発生機器Ｋのリストｐ２や、各チャンネルのボリュームフェーダｐ３等が表示され、そのステージ１上の任意の位置に、マウス操作で発生機器Ｋを配置して、チャンネルにアサインすることができる。また、マイクＫ１の配置情報を基に自動的にハウリング抑制が図られる。そして、ボリュームフェーダｐ３を上下操作することで、チャンネルの音量調整をすることができる。
また、発生機器Ｋのプロパティーで、マイクＫ１に関しては、プルダウンメニューによって対象者Ｍを選択することも出来るように構成されている。
そして、図には示さないが、他にも、ＧＵＩとしての各種エディット画面が用意されており、コンピュータの表示画面上から、前記デジタルミキサーモジュール９の操作や、データの保存や読み込み、及び、各データベースの記録内容の編集等を実施できるように構成されている。また、従来の音響調整設備にも備えられている機能と同様に、デジタルミキサーモジュールのセッティング状況をシーンメモリーとして記録保存して、再度、利用することもできるように構成されている。
【００２７】
本実施形態の調整設備Ｓによれば、以上のように、簡単な入力操作によって音調整部を該当ホールの状況によく合致した状態に自動的にセッティングすることができ、音響に係わる仕込み作業の効率化、及び、ミキシング作業全般の簡単化を叶えることが可能となる。そして、ハウリングの抑制に関しては、特に、簡単な制御機構によってその威力を発揮することができ、良好なミキシングを低コストで実現することが可能となる。
【００２８】
〔別実施形態〕
以下に他の実施の形態を説明する。
【００２９】
〈１〉  音響調整設備Ｓは、先の実施形態で説明したコンピュータ１０とデジタルミキサーモジュール９とで構成されたものに限るものではなく、例えば、デジタルミキサーモジュールを内装したコンピュータで構成したり、調整卓として形成されたデジタルミキサーと、そのデジタルミキサーと連動自在に接続されたコンピュータで構成するものであってもよい。更には、調整卓そのものに、デジタルミキサー部とコンピュータ部とを一体的に備えた構成であってもよい。
それらを総称して音響調整設備と言う。
〈２〉  ハウリングデータベースＢ３への記録内容は、先の実施形態で説明したようにハウリング周波数ｆ（前記Ｆ値に相当）とＱ値とＧ値からなるデータ群をそれぞれ分割仮想空間に関連づけて記録することに限るものではなく、例えば、どの分割仮想空間に関しても前記Ｑ値とＧ値を一定値として処理する場合には、Ｑ値とＧ値をデータ群から外してハウリング周波数ｆ（前記Ｆ値に相当）のみをそれぞれ分割仮想空間に関連づけて記録するものであってもよい。また、ハウリング周波数は、一つの分割仮想空間Ｖに対して一つだけ設定することに限らず、例えば、発生しやすい順に複数個設定するものであってもよく、この場合は、より一層ハウリング抑制効果が向上する。
〈３〉  前記空間Ｈを複数の仮想空間として分割するに当たって、先の実施形態で説明したように、ステージ１平面を複数の仮想空間として分割するものに限らず、例えば、縦方にも複数の仮想空間として分割する三次元分割を行ってもよい。この場合、より肌理の細かなハウリング抑制効果を期待することができる。また、前記空間Ｈは、ホールに限るものではない。
〈４〉  前記位置入力手段２２は、先の実施形態で説明したように、ディスプレー上のステージ平面画像にマウス操作でマイクＫ１位置を入力するものに限るものではなく、例えば、キーボードから数値入力によって入力できるように構成されたものであってもよい。また、前記空間Ｈに現実に設置したマイクＫ１の位置を検出する位置検出手段（例えば、磁歪効果を利用した位置検出センサや、電波や光等を使用する位置検出センサ）を設けておき、その位置検出手段によるマイク位置検出情報を入力データとするように構成されたものであってもよい。この場合、入力の手間が省けることに加えて、人力による入力ミスを防止でき、より確実なハウリング抑制効果を発揮させることが可能となる。
また、前記位置検出手段によるマイク位置の検出と、その検出位置情報による前記フィルタ制御手段によるフィルタ処理とを、所定時間（例えば、秒単位）毎に行わせる繰り返し制御手段が設けてあってもよく、この場合は、マイクＫ１が前記空間Ｈ内を移動するような場合でもハウリング抑制効果を発揮させることが可能となる。繰り返し制御手段の具体例としては、所定クロック毎に前記位置検出手段と前記フィルタ制御手段とに作動命令を送信するように組まれたソフトウェアを、前記ソフトセクション１０Ｂに備えることが挙げられる。
【００３０】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００３１】
【図１】ホールを示す平面図
【図２】音響調整設備を示す概念図。
【図３】音響調整設備の要部を示すブロック図
【図４】パラメトリックイコライザーの説明図
【図５】ハウリング抑制を示す説明図
【図６】ステージ上の分割仮想空間を示す平面図
【図７】操作画面を示す説明図
【符号の説明】
【００３２】
２２    位置入力手段
２３    フィルタ制御手段
Ｂ３    ハウリングデータベース
ｆ      ハウリング周波数
Ｈ      ホール（本発明に係わる「空間」の一例）
Ｋ１    マイク
Ｖ      分割仮想空間
Ｗ      拡声装置
Ｙ      ハウリング抑制機構
【図１】
2006340276.tif 000003
【図２】
2006340276.tif 000004
【図３】
2006340276.tif 000005
【図４】
2006340276.tif 000006
【図５】
2006340276.tif 000007
【図６】
2006340276.tif 000008
【図７】
2006340276.tif 000009